(57)【特許請求の範囲】
【請求項１】
内部のディスク収納部に光ディスクが回転可能に収納されると共に、この光ディスクを外方に臨ませる記録及び／又は再生用の開口部が設けられたカートリッジ本体と、上記光ディスクの信号記録面のクリーニングを行うクリーニング部と、このクリーニング部を上記開口部より臨ませ、上記クリーニング部を押圧する押圧部材とを備えるディスクカートリッジの記録及び／又は再生を行う光ディスク装置において、
上記ディスクカートリッジが装着されるベースに設けられた開口部より光ディスクの記録及び／又は再生を行う光ピックアップ装置が臨まされた記録再生部と、
上記ディスクカートリッジを装置本体の内の上記記録再生部にローディングするローディング手段と、
上記ベースの開口部に臨むように設けられ、上記ディスクカートリッジが上記ローディング手段によりローディングされ上記記録再生部にあるとき、上記カートリッジ本体の記録及び／又は再生用の開口部より進入して上記押圧部材を押圧し上記クリーニング部を上記光ディスクの信号記録面に接触させる押圧操作手段とを備える光ディスク装置。
【請求項２】
上記押圧操作手段は、情報信号の記録及び／又は再生エラーが検出された場合に、上記カートリッジ本体の記録及び／又は再生用の開口部より進入して上記押圧部材を押圧し上記クリーニング部を上記光ディスクの信号記録面に接触させることを特徴とする請求項１記載の光ディスク装置。
【請求項３】
上記押圧操作手段は、駆動源の駆動軸が偏芯した位置に取り付けられた偏芯部材と、上記偏芯部材が当接されると共に弾性体によって上記ディスクカートリッジから離間する方向に付勢された押圧操作部材とを有し、
上記押圧操作部材は、上記偏芯部材の駆動軸から離れた部分で押圧されたとき、上記弾性体の付勢力に抗して上記カートリッジ本体の記録及び／又は再生用の開口部より進入して上記押圧部材を押圧し上記クリーニング部を上記光ディスクの信号記録面に接触させることを特徴とする請求項１記載の光ディスク装置。
【発明の詳細な説明】
【０００１】
【発明の属する技術分野】
本発明は、ディスクカートリッジが記録再生部に装着されたときに、ディスクカートリッジのディスク収納部内のクリーニング部を光ディスクの信号記録面側に押圧する光ディスク装置に関する。
【０００２】
【従来の技術】
従来、ディスクカートリッジに回転可能に収納された光ディスクの記録及び／又は再生を行う光ディスク装置は、光ディスクが光ディスクの記録再生を行う記録再生部に装着された際に、光ディスクを回転操作するディスク回転操作機構と、情報信号の記録再生を行う光ピックアップ装置とを備える。ここで、このような光ディスク装置に用いられるディスクカートリッジは、光ディスクが回転可能に収納されるディスク収納部が構成されたカートリッジ本体を備える。そして、このカートリッジ本体には、その中央部に光ディスクを回転操作するディスク回転操作部が進入する中央開口部と、光ディスクの信号記録領域を外方に臨ませる記録再生開口部が設けられる。また、カートリッジ本体の光ディスク装置の挿入端となる前面側には、中央開口部及び記録再生開口部を閉塞するシャッタ部材がスライド可能に組み付けられる。
【０００３】
そして、光ディスク装置は、記録再生部にディスクカートリッジが装着されシャッタ部材がスライドされ中央開口部及び記録再生開口部が開放されると、ディスク回転操作機構が中央開口部よりカートリッジ本体内に進入し光ディスクを回転操作すると共に光ピックアップ装置より光ディスクの信号記録面に光ビームが出射され情報信号の記録再生を行う。
【０００４】
ところで、このような光ディスク装置に用いられるディスクカートリッジは、ディスク収納部内の光ディスクの信号記録面に付着した塵埃等の異物を払拭しクリーニングするためのクリーニング部を備えたものがある。このクリーニング部は、カートリッジ本体の内の光ディスクの信号記録面と対向する面にクリーニングシートを備える。そして、このクリーニングシートは、カートリッジ本体内に設けられた押圧操作部材により常時信号記録面に接触される。
【０００５】
このようなディスクカートリッジは、光ディスク装置の記録再生部に装着され、光ディスクがディスク回転操作機構により回転操作されることにより、光ディスクの信号記録面の全面のクリーニングを行う。
【０００６】
【発明が解決しようとする課題】
ところで、光ディスクの中には、記録される情報信号の高容量化を図るため、ディスク基板上に信号記録層が形成され、この信号記録層上に約０．１ｍｍの光透過層が形成され、この光透過層側を信号記録面として用いるものがある。このような光ディスクには、例えば光ディスクの信号記録面と対物レンズとの間隔であるワーキングディスタンスが５６０μｍ以下に設定された開口数ＮＡが０．７以上の対物レンズ、波長が６８０ｎｍ以下の半導体レーザを用いる光ピックアップ装置が用いられる。このような光ディスクにおいては、光学ヘッドと信号記録面との間隔が極めて近接していることから、光ディスクの信号記録面に塵埃等の異物が付着している場合、この異物が光ピックアップ装置に接触し汚損してしまう場合がある。
【０００７】
また、この光ディスクは、これに用いられる光ピックアップ装置が開口数が大きく、また、信号記録層との間に極薄の光透過層があるのみであるから、光透過層表面に傷が付いた場合、正確な情報信号の記録又は再生を行うことができない場合が生じる。すなわち、上述したクリーニングシートを用いて光ディスクの信号記録面のクリーニングを行う場合には、記録又は再生のため回転操作されているとき常にクリーニングシートが押圧部材により信号記録面に押圧される。そのため、長時間にわたり光ディスクの記録再生が行われると、光ディスクの信号記録面には、傷等が生じ、正確に情報信号の記録又は再生ができなくなることがある。
【０００８】
そこで、本発明は、光ディスクの信号記録面に損傷させることなく清潔な状態に維持することのできる光ディスク装置を提供することを目的とする。
【０００９】
【課題を解決するための手段】
本発明に係る光ディスク装置は、上述のような課題を解決すべく、内部のディスク収納部に光ディスクが回転可能に収納されると共に、この光ディスクを外方に臨ませる記録及び／又は再生用の開口部が設けられたカートリッジ本体と、上記光ディスクの信号記録面のクリーニングを行うクリーニング部と、このクリーニング部を上記開口部より臨ませ、上記クリーニング部を押圧する押圧部材とを備えるディスクカートリッジの記録及び／又は再生を行う光ディスク装置において、上記ディスクカートリッジが装着されるベースに設けられた開口部より光ディスクの記録及び／又は再生を行う光ピックアップ装置が臨まされた記録再生部と、上記ディスクカートリッジを装置本体の内の上記記録再生部にローディングするローディング手段と、上記ベースの開口部に臨むように設けられ、上記ディスクカートリッジが上記ローディング手段によりローディングされ上記記録再生部にあるとき、上記カートリッジ本体の記録及び／又は再生用の開口部より進入して上記押圧部材を押圧し上記クリーニング部を上記光ディスクの信号記録面に接触させる押圧操作手段とを備える。
【００１０】
これにより、光ディスク装置は、ディスクカートリッジに配設されるクリーニング部を常時光ディスクに接触させるのではなく、例えばディスクカートリッジが記録再生部にローディングされたときや記録及び／又は再生エラーが検出された場合等所定の場合に限って、押圧操作手段によりクリーニング部を押圧し光ディスクの信号記録面に接触させ信号記録面のクリーニングを行う。したがって、光ディスクの信号記録面にクリーニング部を押圧する時間を少なくすることができ、光ディスクの信号記録面を損傷させることを防止する。
【００１１】
【発明の実施の形態】
以下、本発明が適用された光ディスク装置について、図面を参照しながら説明する。
【００１２】
ここで、この光ディスク装置に用いられるディスクカートリッジ１は、図１及び図２に示すように、合成樹脂材料を成形して略矩形状に形成した上下一対のハーフ２、３を突き合わせ、各コーナ部の近傍をビス、接着剤、超音波溶着等によって結合したカートリッジ本体４を備え、このカートリッジ本体４に情報信号の記録媒体となる光ディスク５を収納する。カートリッジ本体４の上下両面には、中央部から前面側に亘ってこのディスクカートリッジ１が装着される光ディスク装置内に配置されるディスク回転駆動機構のディスクテーブル及びディスク回転駆動機構によって回転操作される光ディスク５に対し例えば映像信号、音声信号等の所定の情報信号の記録及び／又は再生を行う光ピックアップ装置が臨む記録及び／又は再生用の開口部７，８が設けられる。これら記録及び／又は再生用の開口部７，８は、カートリッジ本体４に摺動自在に設けられたシャッタ部材９によって閉塞される。このシャッタ部材９は、ディスクカートリッジ１が記録及び／又は再生装置に装着される使用時に限って開放され、非使用時にカートリッジ本体４内に塵埃等が侵入することを防止し、また、光ディスク５の信号記録領域５ｃに手指が触れることを防止し、少なくとも信号記録領域５ｃに塵埃や指紋等の異物が付着することによって生ずる情報信号の記録再生エラーを防止する。
【００１３】
カートリッジ本体４を構成する上ハーフ２と下ハーフ３は、成形性が良好で十分な機械的強度を有する合成樹脂材料、例えばポリカーボネイト樹脂により形成される。そして、上ハーフ２と下ハーフ３には、互いに突き合わせ接合されカートリッジ本体４を構成した際、カートリッジ本体４の周壁を構成する立上り壁が設けられる。また、上ハーフ２と下ハーフ３には、相対向する内面であってカートリッジ本体４の周壁を構成する立上り壁に内接するように光ディスク５の水平方向の収納位置を規制する円弧状の位置規制壁が設けられる。この位置規制壁は、上ハーフ２と下ハーフ３が互いに突き合わせ接合されカートリッジ本体４を構成したとき、光ディスク５を回転可能に収納するディスク収納部６を構成する。
【００１４】
このディスク収納部６に収納される光ディスク５は、通常の光ディスクに対し高容量の相変化型の光ディスクであり、２枚のディスク基板が張り合わされ両面に信号記録面が形成される。この光ディスク５は、それぞれのディスク基板上に信号記録層が形成され、この信号記録層上に保護層となる約０．１ｍｍの光透過層が形成され、全体の厚さが１．２ｍｍのディスクより構成される。そして、この光ディスク５は、光透過層側を信号記録面として用いられる。また、この光ディスク５には、中央部に、ディスク回転操作部を構成するディスクテーブルが係合されるセンタ穴５ａが設けられる。さらに、光ディスク５の信号記録面は、センタ穴５ａの外周にディスクテーブルにより光ディスク５を支持するための内周側非信号記録領域５ｂが形成され、この内周側非信号記録領域５ｂの外周側に情報信号が記録される信号記録領域５ｃが形成され、さらに、この信号記録領域５ｃの外周側であって光ディスク５の外周部に外周側非信号記録領域５ｄが形成される。このような光ディスク５は、光ピックアップ装置により照射される光ビームが信号記録層に照射され、信号記録層の結晶構造が局所的に変化され情報信号が記録され、また、信号記録面に照射され反射された戻り光の光量変化を検出して記録された情報信号の再生が行われる。なお、この光ディスク５は、片面のみに信号記録面が構成される光ディスクであってもよい。
【００１５】
このような光ディスク５を外方に臨ませる記録及び／又は再生用の開口部７，８は、カートリッジ本体４の上下両面、すなわち上ハーフ２及び下ハーフ３の中心部分からシャッタ部材９が取り付けられると共にディスクカートリッジの挿入端である前面側４ａ側縁に亘って略長方形状に形成され、カートリッジ本体４に収納された光ディスク５の外周端部付近から中心部分に亘る部分をカートリッジ本体４の外方に臨ませ得るように形成される。このようにディスクカートリッジ１は、開口部７，８を形成することにより、光ピックアップ装置が光ディスク５の内外周に亘って走査可能になると共に、ディスク５を回転駆動する光ディスク装置側に配設されるディスク回転操作部のディスクテーブルもこれら開口部７，８を介してカートリッジ本体４内に進入して光ディスク５を支持することが可能となる。
【００１６】
なお、記録及び／又は再生用の開口部７，８は、カートリッジ本体４の中央部に位置する円形をなすディスクテーブル用開口部７ａ，８ａと、これら開口部７ａ，８ａに連続してカートリッジ本体４の前面側に亘って形成された光ピックアップ装置が臨む記録再生用開口部７ｂ，８ｂとから構成される。そして、ディスクテーブル用開口部７ａ，８ａからは、光ディスク５のセンタ穴５ａが臨まされる。
【００１７】
また、ディスク収納部６には、図２及び図３に示すように、光ディスク５の信号記録面に付着した塵埃等の異物を除去するためのクリーニングシート１１ａ，１１ｂが配設される。クリーニングシート１１ａ，１１ｂは、超高分子ポリエチレンシート、ポリフッ化エチレン系繊維等の耐摩耗性に優れる不織布を光ディスク５の略同形状に打ち抜いて形成される。また、クリーニングシート１１ａ，１１ｂには、外周端から中心部に亘る部分に光ディスク５の信号記録領域５ｃを臨ませるため切欠部１２が開口部７，８に対応して形成される。
【００１８】
具体的には、図３に示すように、クリーニングシート１１ａ，１１ｂの切欠部１２は、クリーニングシート１１ａ，１１ｂの中央部分にディスクテーブル用開口部７ａ，８ａより大きく円形に形成されたディスクテーブル用切欠部１２ａ、１２ａと、ディスクテーブル用切欠部１２ａ，１２ａと連続してカートリッジ本体４の前面側に亘って形成されると共に一側縁が記録再生用開口部７ｂ，８ｂより臨まされる記録再生用切欠部１２ｂ，１２ｂとから構成される。そして、クリーニングシート１１ａ，１１ｂは、その周囲に接着剤が塗布され、ディスク収納部６内の上ハーフ２及び下ハーフ３の内面に貼着される。
【００１９】
このようなクリーニングシート１１ａ，１１ｂは、光ディスク５と略同じ大きさに形成されることから、光ディスク５がディスク回転操作部により回転操作された際、光ディスク５とクリーニングシート１１ａ，１１ｂとの間に安定した状態で気流を発生させ、安定した状態で光ディスク５をディスク収納部６内で回転操作させることができる。なお、クリーニングシート１１ａ，１１ｂは、光ディスク５の信号記録領域５ｃをクリーニングできる大きさであれば、開口部７，８近傍に設けるだけであっても良い。
【００２０】
また、ディスク収納部６には、図２及び図３に示すように、開口部７，８の近傍に、クリーニングシート１１ａ，１１ｂを光ディスク５の信号記録領域５ｃに押圧する押圧部材１０が上ハーフ２及び下ハーフ３のそれぞれに設けられる。この押圧部材１０は、金属板を打ち抜いて板バネ状に形成され、基端側が開口部７，８の近傍の上ハーフ２及び下ハーフ３の内面に接着剤、ビス等により固定して取り付けられ、他端側が、光ディスク装置の押圧操作機構により押圧できるように開口部７，８より臨まされる。すなわち、押圧部材１０の自由端側は、光ディスクの信号記録領域５ｃの全域をクリーニングできるように、少なくとも信号記録領域５ｃの径方向の長さと略同じになるように形成される。
【００２１】
かくして、クリーニングシート１１ａ，１１ｂは、光ディスク５が回転操作されているときであって押圧部材１０が後述する光ディスク装置側の押圧操作機構に押圧されているときに限って光ディスクの信号記録領域５ｃに摺接され、光ディスクの信号記録領域５ｃのクリーニングを行う。したがって、光ディスク５は、クリーニングシート１１ａ，１１ｂが常時押圧部材１０に押圧され光ディスク５に摺接されることがなく、光ディスク５が回転操作され且つ押圧部材１０が光ディスク装置側の押圧操作機構に押圧されているとき、例えば記録再生エラーが検出されたとき、光ディスク５がローディングされたときに限ってクリーニングシート１１ａ，１１ｂが光ディスク装置側の押圧操作機構に押圧された押圧部材１０により押圧され摺接されクリーニングが行われることから、光ディスク５の信号記録面に傷等が付くことが防止される。
【００２２】
さらに、カートリッジ本体４には、図１及び図２に示すように、カートリッジ本体４に移動可能に取り付けられカートリッジ本体４に設けられた記録及び／又は再生用の開口部７，８を開閉するシャッタ部材９が移動するシャッタ移動部１３が設けられる。このシャッタ移動部１３は、上ハーフ２及び下ハーフ３の前面側でシャッタ部材９の移動領域に対応して設けられた凹状部１３ａ，１３ｂから構成される。凹状部１３ａ，１３ｂは、記録及び／又は再生用の開口部７，８を閉塞するシャッタ部の厚みの分だけ凹状に形成され、シャッタ部材９が組み付けられた際、上ハーフ２及び下ハーフ３の主面とシャッタ部とが同一面を構成するようにして、薄型化を図っている。そして、シャッタ移動部１３は、シャッタ部材９が開口部７，８を閉塞した位置を基準位置として、両方向に移動できるように設けられる。そして、このシャッタ移動部１３には、上ハーフ２及び下ハーフ３の外面側であって開口部７，８の周囲にシャッタ部材９が開口部７，８を閉塞した状態にシャッタ部材９と上ハーフ２及び下ハーフ３の外面とに生じる間隙より塵埃等の異物が進入することを防止するための緩衝部材１５が取り付けられる。この緩衝部材１５は、超高分子ポリエチレンシート、ポリフッ化エチレン系繊維等の耐摩耗性に優れる不織布より形成され、シャッタ部材９と緩衝部材１５との接触により異物が発生し、この異物がカートリッジ本体４内に進入することも防止する。
【００２３】
このようにカートリッジ本体４の前面側に設けられるシャッタ移動部１３に組み付けられるシャッタ部材９は、図１及び図２に示すように、ディスクカートリッジ１が記録再生装置に装着されない非使用時に、記録及び／又は再生用の開口部７，８を閉塞し、これら開口部７，８を介して塵埃がカートリッジ本体４内に進入して光ディスク５の表面に付着することを防止し、光ディスク５の保護を図るものである。このシャッタ部材９は、薄い金属板をプレス加工して形成されてなるものであって、図２に示すように、開口部７，８をそれぞれ閉塞するに足る外形形状を有する第１のシャッタ部１６及び第２のシャッタ部１７と、これら第１のシャッタ部１６及び第２のシャッタ部１７の基端部を連結する連結部１８とからなり、全体として略コ字状に形成される。
【００２４】
第１及び第２のシャッタ部１６，１７は、上ハーフ２及び下ハーフ３の開口部７，８を開閉するに足る大きさを有する前後方向にやや長い矩形に形成される。第１及び第２のシャッタ部１６，１７の先端部は、上ハーフ２及び下ハーフ３の外方側の主面に取り付けられたシャッタ抑え板１９によって支持され、第１及び第２のシャッタ部１６，１７の上ハーフ２及び下ハーフ３からの浮き上がりを防止される。また、シャッタ部材９の連結部１８は、カートリッジ本体４の前面の厚さに略等しい高さを有するように形成される。
【００２５】
このようなシャッタ部材９は、図示しないが連結部１８の内側面に設けられた係合片がカートリッジ本体４の前面側に設けられたガイド溝に係合され、カートリッジ本体４の前面側に沿って開口部７，８を閉塞した位置を基準位置として両方向、すなわち図１中Ａ１方向又はＡ２方向に移動可能に取り付けられる。すなわち、ディスクカートリッジ１は、一方の主面を上側にして光ディスク装置のカートリッジ挿脱口に挿入するとき、図１中Ａ１方向に移動操作され、他方の主面を上側にして光ディスク装置のカートリッジ挿脱口に挿入するとき、図１中Ａ２方向に移動操作される。
【００２６】
また、カートリッジ本体４には、シャッタ部材９が光ディスク装置に装填された場合に限って図１中Ａ１方向又はＡ２方向に移動操作され開口部７，８を開放するように、シャッタ部材９の図１中Ａ１方向への移動を制限するシャッタロック機構２１ａとシャッタ部材９の図１中Ａ２方向への移動を制限するシャッタロック機構２１ｂが設けられる。これらシャッタロック機構２１ａ，２１ｂは、カートリッジ本体４の前面側両コーナ部に設けられる。そして、シャッタロック機構２１ａは、ディスクカートリッジ１の一方の主面を上側にして光ディスク装置のカートリッジ挿脱口に挿入するとき用いられ、シャッタロック機構２１ｂは、ディスクカートリッジ１の他方の主面を上側にして光ディスク装置のカートリッジ挿脱口に挿入するとき用いられる。なお、シャッタロック機構２１ａ，２１ｂは、対称に設けられ同一の構成を有するため、以下シャッタロック機構２１として説明する。
【００２７】
シャッタロック機構２１は、図４に示すように、押圧操作されることにより回動する回動部材２２と、シャッタ部材９を開口部７，８を閉塞した位置にロックするロック部材２３と、ロック部材２３の回動を制限する規制部材２４と、回動部材２２と規制部材２４とを連結する連結アーム２５とを備える。回動部材２２は、図４に示すように、カートリッジ本体４の前面側コーナ部に植立された支軸２６を回動支点として図４中Ｃ１方向又はＣ２方向に回動自在に支持される。この回動部材２２は、その基体部の一部でディスクカートリッジ１の挿脱方向に平行な側面４ｂに、第１の被押圧部２７が形成され、ディスクカートリッジ１の側面４ｂに設けられた開口部２８より外方に臨まされる。そして、回動部材２２は、規制部材２４に連結アーム２５を介して連結される。この連結アーム２５は、その両端が回動部材２２と規制部材２４に回動自在に取り付けられる。また、開口部２８が設けられるディスクカートリッジ１の側面４ｂには、第１の被押圧部２７を押圧する後述するシャッタ開放機構を構成する第１の押圧部が進入する凹状のガイド部２０が設けられる。
【００２８】
連結アーム２５を介して回動部材２２に接続される規制部材２４は、基端部３０がカートリッジ本体４の植立された支軸２９を回動支点として図４中矢印Ｄ１又は矢印Ｄ２方向に回動自在に支持される。そして、この基端部３０には、第１の弾性片３１が設けられる。この第１の弾性片３１は、カートリッジ本体４に設けられた係止片３２に係止され、規制部材２４を図４中矢印Ｄ１方向に付勢する。また、基端部３０には、シャッタ部材９の連結部１８の方向にアーム部３３が設けられる。
【００２９】
ロック部材２３は、全体として略Ｃ字状に形成され、基端部３４がカートリッジ本体４に設けられた支軸３５を回動支点として図４中矢印Ｅ１方向又はＥ２方向に回動自在に支持される。この基端部３４には、第２の弾性片３６が設けられ、カートリッジ本体４に設けられた係止部３７に係止され、ロック部材２３を図４中矢印Ｅ１方向に付勢する。また、基端部３４には、シャッタ部材９をロックするロックアーム３８が設けられる。このロックアーム３８の先端部には、シャッタ部材９を構成する連結部１８の側縁に設けられた突部３９に係止されるロック部４１が設けられる。このロック部４１は、第２の弾性片３６がロック部材２３を図４中矢印Ｅ１方向に付勢されることにより、シャッタ部材９の突部３９に係止される。さらに、ロックアーム３８には、その中途部の規制部材２４側に、突起４２が設けられる。この突起４２は、規制部材２４のアーム部３３の先端部に設けられた受け部４３に係止される。図４中矢印Ｄ１方向に付勢された規制部材２４は、受け部４３において突起４２を係止することにより、ロック部材２３が図４中矢印Ｅ２方向に回動することを阻止する。さらには、ロックアーム３８には、シャッタ部材９の移動方向である前面側に設けられた開口部４５より外方に臨まされる第２の被押圧部４４が設けられる。この第２の被押圧部４４は、押圧されることで図４中矢印Ｅ２方向に回動され、ロック部４１がシャッタ部材９の突部３９に係止した状態を解除する。
【００３０】
このようなシャッタロック機構２１は、シャッタ部材９が記録及び／又は再生用の開口部７，８を閉塞した状態において、図４に示すように、規制部材２４の第１の弾性片３１が規制部材２４を図４中矢印Ｃ１方向に付勢している。これにより、回動部材２２は、図４中矢印Ｃ２方向に回動され、第１の被押圧部２７が開口部２８側に押圧され外方に臨まされた状態にある。また、規制部材２４は、第１の弾性片３１が規制部材２４を図４中矢印Ｄ１方向に付勢することにより、受け部４３が突起４２を押圧し、ロック部材２３が図４中矢印Ｅ２方向に回動することを阻止する。これにより、第２の被押圧部４４は、開口部４５より外方に向かって臨まされた状態にあり、また、ロック部４１は、シャッタ部材９の突部３９に係止された状態にあり、さらに、受け部４３は、突起４２に係止される。したがって、ロック部材２３は、図４中矢印Ｅ２方向へ回動することが阻止された状態にある。すなわち、シャッタロック機構２１は、光ディスク装置に装填されない非使用時に、シャッタ部材９が開口部７，８を開放を禁止した状態にさせる。
【００３１】
そして、ディスクカートリッジ１が光ディスク装置のカートリッジ挿脱口より挿入されカートリッジホルダに保持されると、シャッタロック機構２１は、図５に示すように、先ず、第１の被押圧部２７が光ディスク装置側のシャッタ開放機構を構成する第１の押圧部により押圧される。すると、回動部材２２は、図５中矢印Ｃ１方向に回動され、連結アーム２５を介して規制部材２４を図４中矢印Ｄ２方向に回動させる。すると、規制部材２４の受け部４３とロック部材２３の突起４２との係合状態が解除される。これにより、ロック部材２３は、規制部材２４に押圧されない自由な状態にされる。但し、ロック部材２３のロック部３９は、シャッタ部材９の突部３９に係止されたままの状態にある。
【００３２】
次に、図６に示すように、ディスクカートリッジ１は、光ディスク装置の光ディスクの記録及び／又は再生を行う記録再生部に装填されると、シャッタ開放機構の第２の押圧部によりロック部材２３の第２の被押圧部４４が押圧される。すると、ロック部材２３は、図６中矢印Ｅ２方向に回動され、ロック部材２３のロック部３９とシャッタ部材９の突部３９との係止状態が解除される。そして、シャッタ部材９は、光ディスク装置側のシャッタ開放機構を構成するシャッタ操作部により図１及び図６中矢印Ａ１方向又はＡ２方向に移動操作される。
【００３３】
なお、光ディスク装置よりディスクカートリッジ１をイジェクトする場合、図６中矢印Ａ１方向又はＡ２方向に移動操作されたシャッタ部材９が先ず、光ディスク装置側のシャッタ操作部により記録及び／又は再生用の開口部７，８を閉塞する基準位置まで移動操作される。そして、第２の被押圧部４４の押圧状態が解除されることにより、ロック部材２３は、図５中矢印Ｅ１方向に回動され、ロック部材２３のロック部４１がシャッタ部材９の突部３９に係合される。次に、第１の被押圧部２７の押圧状態が解除されると、規制部材２４は、図４中矢印Ｄ１方向に回動され、受け部４３が突起４２に係合した状態になり、ロック部材２３が図４中矢印Ｅ２方向に回動することを阻止した状態になる。かくして、シャッタ部材９は、シャッタロック機構２１に記録及び／又は再生用の開口部７，８を閉塞した状態にロックされる。
【００３４】
また、カートリッジ本体４には、図１に示すように、主面の光ディスク装置への挿入端と対向する方向に、光ディスク５の仕様、例えば光ディスク５の種類、記録時間、光ディスク５の信号記録面が両面型であるか片面型であるか等を識別するための識別部４６が設けられる。この識別部４６は、複数の識別凹部４７より構成され、ディスクカートリッジ１が光ディスク装置に装填された際に、この識別部４６に対応して設けられた識別機構によりディスクカートリッジ１の仕様が識別される。具体的に、この識別部４６は、光ディスク装置側の押圧型の識別ピンが識別凹部４７に嵌入され押圧されないオフの場合と、識別凹部４７が設けられておらず識別ピンが押圧されたオンの状態とで識別される。
【００３５】
また、カートリッジ本体４には、図１に示すように、主面の光ディスク装置への挿入端と対向する方向に、光ディスク５に誤って情報信号を記録することを防止するための誤記録防止機構５１が設けられる。この誤記録防止機構５１は、情報信号の記録を禁止する第１の位置と情報信号の記録が可能な第２の位置とに亘って移動可能な誤記録防止部材５２と、第２の位置において誤記録防止部材５２により閉塞される図示しない識別孔と、誤記録防止部材５２の操作部を外方に臨ませる開口部５３とを備える。このような誤記録防止機構５１は、誤記録防止部材５２が移動操作されて識別孔を閉塞した第２の位置では、光ディスク装置側の検出手段の識別孔への進入を阻止し、光ディスク５への情報信号の記録を可能な状態にする。また、誤記録防止部材５２が移動操作されて、検出孔を開放した第１の位置に移動操作されると、光ディスク装置側の検出手段が識別孔へ進入し、光ディスク５への情報信号の記録を不能とさせる。
【００３６】
また、カートリッジ本体４には、ディスクカートリッジ１の光ディスク装置１への挿脱方向と平行な両側面部４ｂにディスクカートリッジ１を光ディスク装置内の光ディスク５の記録及び／又は再生を行う記録再生部へとローディングを行うローディング機構が係合されるローディング用切欠部５４，５５が設けられる。このローディング用切欠部５４，５５は、カートリッジ本体４の側面４ｂの前面側に上ハーフ２側から下ハーフ３側に亘って貫通して設けられる。
【００３７】
以上のようなディスクカートリッジ１は、光ディスク５の記録及び／又は再生を行う光ディスク装置のカートリッジ挿脱口より挿入されると、ディスクカートリッジ１を保持するカートリッジホルダに保持され、ここで、光ディスク装置側のローディング機構がローディング用切欠部５４，５５に係合されると共に、カートリッジ本体４の側面４ｂに設けられたシャッタロック機構２１を構成する第１の被押圧部２７が光ディスク装置側のシャッタ開放機構により押圧される。
【００３８】
そして、ディスクカートリッジ１は、ローディング機構により光ディスク５の記録及び／又は再生を行う記録再生部に装着されると、図６に示すように、シャッタロック機構２１の第２の被押圧部４４がシャッタ開放機構に押圧される。すると、図６に示すように、規制部材２４の受け部４３とロック部材２３の突起４２との係合状態が解除されると共にロック部材２３のロック部３９とシャッタ部材９の突部３９との係止状態が解除される。
【００３９】
そして、シャッタ部材９は、光ディスク装置側のシャッタ開放機構を構成するシャッタ操作部により図１及び図６中矢印Ａ１方向又はＡ２方向に移動可能な状態にされる。そして、シャッタ部材９は、光ディスク５の記録又は再生或いはトラックジャンプ等を行う場合、すなわち、光ピックアップ装置を使用する場合に限って図１中矢印Ａ１方向又はＡ２方向にシャッタ操作部により移動操作され、開口部７，８を開放した状態にする。すなわち、ディスクカートリッジ１が記録再生部に装着された場合であっても、光ディスク５を回転操作しない停止時等の待機時にあっては、シャッタ部材９は、記録及び／又は再生用の開口部７，８を閉塞した状態にある。
【００４０】
また、このディスクカートリッジ１は、シャッタ部材９が開口部７，８を開放するように操作され、記録再生部に装着されたローディング時及び記録再生エラー検出時に限って、光ディスク５のクリーニングがされる。具体的には、ディスクカートリッジ１は、ローディング時及び記録再生エラー検出時にクリーニングシート１１ａ，１１ｂが押圧部材１０が光ディスク装置側の押圧操作機構により押圧されることにより光ディスク５の信号記録面に接触され、光ディスク５がディスク回転操作部により回転操作されることで光ディスク５のクリーニングが行われる。
【００４１】
このようなディスクカートリッジ１は、光ディスク５の記録又は再生或いはトラックジャンプ等を行う場合、すなわち、光ピックアップ装置を使用する必要最低限の場合に限ってシャッタ部材９が移動操作され開口部７，８を開放することから、カートリッジ本体４のディスク収納部６内に塵埃等の異物が入ることを防止することができる。
【００４２】
また、ディスクカートリッジ１は、光ディスク５の記録又は再生を開始する直前である記録再生部に装着されたローディング時及び記録再生エラー検出時にのみ、クリーニングシート１１ａ，１１ｂにより光ディスク５の信号記録面のクリーニングを行うことから、光ディスク５の信号記録面に傷をつけることを防止することができる。
【００４３】
なお、以上光ディスク５の信号記録面のクリーニングを行うクリーニング部についてクリーニングシート１１ａ，１１ｂを用いた場合について説明したが、クリーニング部としては、次の図７、図８に示すようなものにしてもよい。すなわち、クリーニング部は、図７に示すように、押圧部材１０の自由端側に、光ディスクの信号記録領域５ｃの全域をクリーニングできるように、少なくとも信号記録領域５ｃの径方向の長さと略同じになるような大きさのクリーニング用ブラシ５８を設けるようにしてもよい。この場合、ブラシ５８には、光ディスク５の信号記録面に傷が付くことを防止し、ブラシ５８が光ディスク５に摺接することにより生じる塵埃等の異物が発生することを防止するため耐摩耗性に優れるものが用いられる。
【００４４】
また、図８に示すように、クリーニング部は、押圧部材１０の自由端側に、光ディスクの信号記録領域５ｃの全域をクリーニングできるように、少なくとも信号記録領域５ｃの径方向の長さと略同じになるような大きさのクリーニング用ローラ５９を設けるようにしてもよい。この場合、ローラ５８には、光ディスク５の信号記録面に傷が付くことを防止し、ローラ５９が光ディスク５に摺接することにより生じる塵埃等の異物が発生することを防止するため周囲に耐摩耗性に優れる発泡材等の弾性体等が用いられる。
【００４５】
次に、上述したディスクカートリッジ１を用い光ディスク５の記録及び／又は再生を行う光ディスク装置について図面を参照して説明する。この光ディスク装置６０は、図９に示すように、装置本体６１の内部にディスクカートリッジ１に収納される光ディスク５の記録及び／又は再生を行う記録再生部６２が構成される。この装置本体６１には、その前面側に、装置本体６１の操作を行う複数の操作釦等が配設された操作部６４が設けられる。この操作部６４は、記録再生部６２に装填されたディスクカートリッジ１の光ディスク５に記録された情報信号の再生を行うための再生開始釦６４ａ、光ディスク５のトラックを順方向にジャンプする順方向トラックジャンプ釦６４ｂ、光ディスク５のトラックを逆方向にジャンプする逆方向トラックジャンプ釦６４ｃ、光ディスク５に情報信号を記録するための記録開始釦６４ｄ、再生又は記録を停止するための停止釦６４ｅ、再生中の情報信号の番地等を表示する液晶表示デバイスよりなる表示部６４ｆ、装置本体６１の電源釦６４ｇ等から構成される。また、この操作部６４には、ディスクカートリッジ１の挿脱操作が行われるカートリッジ挿脱口６５が設けられる。このカートリッジ挿脱口６５は、ディスクカートリッジ１の光ディスク装置６０への挿入端となる前面側の側面４ａよりやや大きい開口部より構成される。
【００４６】
また、このカートリッジ挿脱口６５には、記録再生部６２内に外部から塵埃等の異物が進入しないように、蓋体６６が回動自在に取り付けられる。この蓋体６６は、カートリッジ挿脱口６５を閉塞するに十分な大きさを有する。このような蓋体６６は、ディスクカートリッジ１がカートリッジ挿脱口６５より挿入操作される際、ディスクカートリッジ１の前面側の側面４ａに押圧されることにより、装置本体６１の内方に回動し、ディスクカートリッジ１を記録再生部６２へのローディングを許可する。
【００４７】
さらには、このカートリッジ挿脱口６５には、図１０に示すように、その周囲に、ディスクカートリッジ１の外表面をクリーニングするクリーニング部材６７が設けられる。このクリーニング部材６７は、超高分子ポリエチレンシート、ポリフッ化エチレン系繊維等の耐摩耗性に優れる不織布により構成される。このようなクリーニング部材６７は、ディスクカートリッジがカートリッジ挿脱口６５より進入された際、ディスクカートリッジ１の外表面に接触し、ディスクカートリッジ１の外表面に付着した塵埃、指紋等の異物を払拭する。これにより、記録再生部６２内には、ディスクカートリッジ１の外表面に付着した異物が進入することが防止され、シャッタ部材９が記録及び／又は再生用の開口部７，８を開放した状態において、異物がディスク収納部６内に進入することが防止されると共に光ピックアップ装置を構成する対物レンズ等に付着することが防止される。
【００４８】
そして、このディスク挿脱口６５は、ディスクカートリッジ１の前面側の側面４ａを挿入端として手指により所定量ディスクカートリッジ１が挿入されると、ローディング機構により記録再生部６２までローディングされる。また、ディスクカートリッジ１を記録再生部６２より取り出す場合には、ローディング機構によりディスクカートリッジ１がカートリッジ挿脱口６５より所定量突き出すまでローディングされ、この後、手指により装置本体６１より取り出される。
【００４９】
このようなディスクカートリッジ１のローディング機構７６は、図１１乃至図１３に示すように、装置本体６１を構成する筐体が固定して取り付けられるシャーシ７７の装置本体６１に底面部に平行に位置される底面部７７ａに垂直に設けられると共にディスクカートリッジ１の挿脱方向に平行な側壁部７７ｂ，７７ｃにスライド可能に支持されるカム板７８，７９を有する。カム板７８，７９は、図１１及び図１３に示すように、カム板７８，７９を側壁部７７ｂ，７７ｃに対し移動可能に支持するための支持ピン８１，８２が側壁部７７ｂ，７７ｃに設けられた第１及び第２の支持スリット８３，８４に係合され側壁部７７ｂ，７７ｃに支持される。第１の支持スリット８３は、側壁部７７ｂ，７７ｃの前端側より中途部分に亘って直線状に形成される。第２の支持スリット８４は、側壁部７７ｂ，７７ｃの中途部分より装置本体６１の後方側に亘って直線状に形成され、後端部が下方側に直角に曲げられる。
【００５０】
カム板７８，７９は、装置本体６１の前面側及び後方側に対応してカム溝８５，８６を有する。装置本体６１の前面側の前側カム溝８５は、前方側の水平部と、この前方側の水平部分よりも高い位置にある後方側の水平部と、これら水平部を接続する傾斜部とを有する。装置本体６１の後方側の後側カム溝８６は、前側カム溝８５と同一の形状をし、前方側の水平部と後方側の水平部とこれら水平部を接続する傾斜部とを有する。また、カム板７８，７９には、カム板７８，７９をディスクカートリッジ１の移動方向に移動操作するためのラックギヤ８７が設けられる。ラックギヤ８７は、カム板７８，７９の下縁部に、前端部より後端部に亘って形成される。さらに、カム板７８には、カム溝８５，８６の間に位置して係合孔８８が設けられる。この係合孔８８は、カム板７８の移動方向を長手方向とし、後縁部がカム溝８５，８６の傾斜部に対応した傾斜部として構成される。
【００５１】
また、カム板７８，７９間には、図１１に示すように、ディスクカートリッジ１を保持するカートリッジホルダ９１と、カートリッジホルダ９１と接続されカートリッジホルダ９１を回動操作する操作板９２と、カートリッジホルダ９１と操作板９２との間に配設されるスライド板９３とを備える。
【００５２】
操作板９２は、シャーシ７７の底面部７７ａと略同じ大きさを有して形成される。この操作板９２のカム板７８，７９に平行な側面部には、左右各一対の支持ピン９４，９５，９６，９７が設けられる。前方側の支持ピン９４，９６は、図１１及び図１３に示すように、カム板７８，７９の前側カム溝８５に係合され、さらに、シャーシ７７の側面部７７ｂ，７７ｃに設けられた第３の支持スリット９８に係合される。この第３の支持スリット９８は、側壁部７７ｂ，７７ｃの前方側より中途部に亘って直線状に形成され、後端部が下方側に直角に曲げられる。後方側の支持ピン９５，９７は、カム板７８，７９の後側カム溝８６に係合され、さらに、シャーシ７７の側面部７７ｂ，７７ｃに設けられた第２の支持スリット８４に係合される。
【００５３】
すなわち、操作板９２は、支持ピン９４，９５，９６，９７を介して、側壁部７７ｂ，７７ｃにディスクカートリッジ１の挿脱方向である前後方向に移動可能に支持され、カム板７８，７９が前後方向に移動操作されると、側壁部７７ｂ，７７ｃに設けられた第３の支持スリット９８及び第２の支持スリット８４に沿ってディスクカートリッジ１の挿脱方向に移動操作される。また、操作板９２は、支持ピン９４，９５，９６，９７を第３の支持スリット９８及び第２の支持スリット８４の後端部に位置させた状態において、下方側、すなわちシャーシ７７の底面部７７ａに近接する方向に降下移動される。
【００５４】
カートリッジホルダ９１は、図１１に示すように、ディスクカートリッジ１を保持できるように装置本体６１のカートリッジ挿脱口６５側の前面側を開放し、両側面部に略コ字状のカートリッジ保持部１０１，１０２が設けられる。カートリッジホルダ９１は、操作板９２の下方側に配設される。カートリッジホルダ９１は、操作板９２の前面側左右及び中央において、ビス１０３により操作板９２に対し吊り下げられて支持される。すなわち、カートリッジホルダ９１は、操作板９２に対し、上下方向にビス１０３の長さ程度の長さに亘って移動可能とされる。
【００５５】
また、このカートリッジホルダ９１には、後縁部に、このカートリッジホルダ９１の主面の後縁側部より下方側に屈曲されたカートリッジ位置決め壁１０４が設けられる。このカートリッジ位置決め壁１０４は、ディスクカートリッジ１が挿入された際、ディスクカートリッジ１の前面側が突き当てられる。また、カートリッジホルダ９１には、その主面の中央にディスク回転操作部を構成するディスクテーブルと共に光ディスク５を狭持して光ディスク５を回転操作する円盤状のクランパ１００が回転自在に設けられる。このクランパ１００は、カートリッジホルダ９１がディスク回転操作部に近接する方向に移動操作された際、ディスク回転操作部に対向する位置に回転可能に取り付けられる。クランパ１００は、磁性材料よりなり、光ディスク５が装着されるディスクテーブル１４４と略同一の大きさの円盤状に形成され、ディスク回転操作部を構成するディスクテーブルと回転中心を一致して相対向させられる。また、一方のカートリッジ保持部１０１には、ディスクカートリッジ１がカートリッジホルダ９１に挿入された際、ディスクカートリッジ１のシャッタ部材９が記録及び／再生用の開口部７，８を閉塞した状態にロックするシャッタロック機構２１の第１の被押圧部２７を押圧するシャッタ開放機構を構成する第１の押圧部１５２が設けられる。
【００５６】
スライド板９３は、カートリッジホルダ９１と操作板９２との間に配設され、カートリッジホルダ９１の上面部により、所定範囲内前後方向にスライド可能に取り付けられる。このスライド板９３は、図１１に示すように、コイルバネ１０５がスライド板９３の後方側に設けられた係止部とカートリッジホルダ９１の後縁部に設けられた係止部とに係止され、カートリッジホルダ９１に対して後方に移動する方向である図１１中矢印Ｆ方向に付勢される。したがって、カートリッジホルダ９１とカートリッジホルダ９１に取り付けられた操作板９２は、図１１中矢印Ｆ方向と反対方向である装置本体６１の前方に付勢される。
【００５７】
スライド板９３のカム板７９側には、内方に向かってディスクカートリッジ１の前面側の側面４ａが突き当てられ押圧される被押圧片１０６が設けられる。この被押圧片１０６は、スライド板９３がコイルバネ１０５の付勢力に抗してカートリッジホルダ９１の前方側に位置する初期状態において、カートリッジ位置決め壁１０４よりも前方側に位置し、スライド板９３がカートリッジホルダ９１の後方側に移動されると、カートリッジ位置決め壁１０４に対し面一となる位置まで移動される。また、スライド板９３のカム板７８側には、スライド板９３の主面より立上がり部が設けられ、この立上がり部に支持突起１０７が設けられる。この支持突起１０７は、カム板７８に設けられた係合孔８８に係合される。
【００５８】
そして、スライド板９３には、図１１及び図１２に示すように、ディスクカートリッジ１がカートリッジホルダ９１内に挿入されたことを検出するカートリッジ検出アーム１１１と、ディスクカートリッジ１を記録再生部６２へローディングするローディングアーム１１２とが回動可能に取り付けられる。カートリッジ検出アーム１１１は、基端側において、取付けピン１１３を回動支点として回動可能に支持される。カートリッジ検出アーム１１１は、先端側にローディングアーム１１２に当接される当接部１１４を有し、この当接部１１４をカートリッジホルダ９１とカム板７８との間となる位置に突出させる。また、このカートリッジ検出アーム１１１には、中途部にディスクカートリッジ１の前面側の側面４ａが当接されるカートリッジ当接ピン１１５がカートリッジホルダ９１内に向かって設けられる。
【００５９】
カートリッジ検出アーム１１１は、取付けピン１１３に捻りコイルバネ１１６が取り付けられ、この捻りコイルバネ１１６の一端がスライダ板３０に設けられた係止部に係止され、他端がカートリッジ検出アーム１１１上に設けられた係止部に係止されることにより、カートリッジ当接ピン１１５をカートリッジホルダ９１の前方に位置するように、図１０及び図１１中矢印Ｇ方向に付勢される。そして、カートリッジ検出アーム１１１は、スライド板９３上に設けられた位置決め片１１７により、位置決め片１１７に当接した初期位置に位置決めされる。
【００６０】
ローディングアーム１１２は、基端側において、取付けピン１１８を回動支点として回動可能に支持される。そして、ローディングアーム１１２は、取付けピン１１８に捻りコイルバネ１２４が取り付けられ、カートリッジホルダ９１の外方、すなわち図１１及び図１２中矢印Ｈ方向に付勢される。また、ローディングアーム１１２には、先端側部に、カートリッジ検出アーム１１１の当接部１１４に当接される当接突起１１９が上方に向かって設けられる。当接突起１１９は、カートリッジ検出アーム１１１の当接部１１４に当接されることにより、ローディングアーム１１２がカートリッジホルダ９１の内方に回動することを阻止する。
【００６１】
また、ローディングアーム１１２には、カートリッジホルダ９１側に向かってディスクカートリッジ１の挿脱方向である側面４ｂに設けられたローディング用の切欠部５４，５５に係合される係合部１２１が設けられる。さらには、ローディングアーム１１２には、カム板７８側に係止部１２２が設けられる。この係止部１２２は、図１２に示すように、シャーシ７７の底面部７７ａに立ち上がって設けられたストッパ壁１２３の前方側側縁に係止され、スライド板９３及び操作板９２が装置本体６１の後方に移動することを阻止する。
【００６２】
また、シャーシ７７の側壁部７７ｂには、図１３に示すように、カム板７８，７８をディスクカートリッジ１の挿脱方向に移動操作するためのローディング用駆動機構１２６が設けられる。このローディング用駆動機構１２６は、駆動源となるローディングモータ１２７と、ローディングモータ１２７の駆動軸に取り付けられる駆動プーリ１２８と、ギヤ部１２９ａを有する従動プーリ１２９と、駆動プーリ１２８と従動プーリ１２９とを連結する無端ベルト１３１と、従動プーリ１２９のギヤ部１２９ａに噛合される大径の第１のギヤ部１３２ａと小径の第２のギヤ部１３２ｂとを有する第１の伝達ギヤ１３２と、第２のギヤ部１３２ｂに噛合される大径の第１のギヤ部１３３ａと小径の第２のギヤ部１３２ｂとを有する第２の伝達ギヤ１３３と、第２の伝達ギヤ１３３の第１のギヤ部１３３ａに噛合されると共にカム板７８のラックギヤ８７に噛合される駆動ギヤ１３４とを備える。このようなローディング用駆動機構１２６は、ローディングモータ１２７が順方向に駆動されると、カム板７８を図１３中矢印Ｉ１方向に移動させ、ローディングモータ１２７が逆方向に駆動されると、カム板７８を図１３中矢印Ｉ２方向に移動させる。
【００６３】
また、カム板７８とカム板７９とは、図１３に示すように、シャーシ７７の側壁部７７ｂ，７７ｃに設けられた伝達機構１３６を介して接続される。この伝達機構１３６は、カム板７８のラックギヤ８７に噛合される駆動伝達ギヤ１３７と、駆動伝達ギヤ１３７に噛合される中間ギヤ１３８と、中間ギヤ１３８の回転軸となると共にカム板７８とカム板７９に掛け渡される連結軸１３９と、図示しないが連結軸１３９のカム板７９側に取り付けられると共にカム板７９に設けられたラックギヤ８７に噛合される中間ギヤとを有する。これにより伝達機構１３６は、ローディングモータ１２７が駆動されることにより、カム板７８と同期してカム板７９が移動操作される。
【００６４】
次に、ディスクカートリッジ１のローディング機構７６の動作について説明する。先ず、ディスクカートリッジ１がカートリッジ挿脱口６５より挿入されていない状態においては、図１２及び図１３に示すように、カムギヤ７８，７９を最も装置本体６１の前方側の初期状態にある。このとき、操作板９２の前方側の支持ピン９４，９６は、カム板７８，７８の前側カム溝８５の後端部に位置し、シャーシ７７の側壁部７７ａ，７７ｂに設けられた第３の支持スリット９８の前端部に位置している。また、カム板７８，７８の後方側の支持ピン９５，９７は、カム板７８，７８の後側カム溝８６の後端部に位置し、且つ、側壁部７７ａ，７７ｂに設けられた第２の支持スリット８４の中途部に位置している。さらに、スライド板９３の支持突起１０７は、カム板７８の係合孔８８の後端部に押圧支持され、スライド板９３をカートリッジホルダ９１の前方側に位置している。したがって、ローディングアーム１１２は、ローディングアーム１１２に設けられた係止部１２２をシャーシ７７の底面部７７ａに立ち上がって設けられたストッパ壁１２３の前端部に係止され、スライド板９３及び操作板９２が装置本体６１の後方側への移動へ移動することを阻止している。また、ローディングアーム１１２は、カートリッジ検出アーム１１１の当接部１１４に当接突起１１９を当接されることにより、カートリッジホルダ９１の内方側へ回動することが阻止されている。
【００６５】
そして、ディスクカートリッジ１をシャッタ部材９が組み付けられた側面４ａを挿入端としてカートリッジ挿入口６５に挿入すると、ディスクカートリッジ１は、側面４ａによりカートリッジ当接ピン１１５を押圧して、カートリッジ検出アーム１１１を捻りコイルバネ１１６の付勢力に抗して、カートリッジホルダ９１の後方側に回動させる。このとき、ローディングアーム１１２は、当接部１１４がカートリッジ検出アーム１１１の当接突起１１９に当接した状態が解除され、カートリッジホルダ９１の内方に回動可能な状態にされる。また、ディスクカートリッジ１の前面側の側面４ａは、スライド板９３の被押圧片１０６に当接する。
【００６６】
そして、さらにディスクカートリッジ１が装置本体６１内に向かって押圧されると、カム板７８，７９は、スライド板９３の支持突起１０７により係合孔８８の後端部を押圧され、僅かに後方側に移動される。すると、カム板７８のラックギヤ８７に噛合された駆動ギヤ１３４は、一方向に僅かに回転される。ここで、駆動ギヤ１３４の回転が図示しない検出部により検出され、ローディングモータ１２７が順方向に駆動される。
【００６７】
ローディングモータ１２７が駆動を開始されカム板７８，７９が装置本体６１の後方側に移動されると、図１４及び図１５に示すように、スライド板９３は、これに追従して、装置本体６１の後方、すなわち図１４中矢印Ｊ方向に移動操作される。このとき、操作板９２は、スライド板９３とカートリッジホルダ９１に張架されたコイルバネ１０５により、スライド板９３に対して装置本体６１に前方に付勢されているため、装置本体６１の後方側に移動することがない。すなわち、操作板９２がシャーシ７７に対して停止したままの状態で、カム板７８，７９とスライド板９３が装置本体６１の後方側に移動する。したがって、操作板９２の支持ピン９４，９６は、第３の支持スリット９８の前端部に位置した状態で、カム板７８，７９の前側カム溝８５の前方に移動する。また、操作板９２の後方側の支持ピン９５，９７は、第２の支持スリット８４の中途部に位置した状態で、カム板７８，７９の後側カム溝８６の前方に移動する。
【００６８】
スライド板９３の支持突起１０７は、スライド板９３とカートリッジホルダ９１に張架されたコイルバネ１０５により、係合孔８８の後端部を押圧している。そして、ローディングアーム１１２は、スライド板９３が装置本体６１の後方への移動するのに伴い、係止部１２２がストッパ壁１２３の前方側縁部を乗り上げストッパ壁１２３の側面に摺接され、カートリッジホルダ９１の内方に回動される。これにより、ローディングアーム１１２の係合部１２１は、ディスクカートリッジ１の挿脱方向と平行な側面４ｂに設けられたローディング用の切欠部５４に係合され、ディスクカートリッジ１を記録再生部６２の方向へ引込み可能な状態にされる。
【００６９】
スライド板９３は、カム板７８，７９の図１５中矢印Ｉ１方向への移動に追従して、コイルバネ１０５の付勢力により、図１４中矢印Ｊ方向に移動操作され、ディスクカートリッジ１の前面側の側面４ａが突き当てられた被押圧片１０７がカートリッジホルダ９１のカートリッジ位置決め壁１０４と面一となる位置まで移動される。この状態で、ディスクカートリッジ１のシャッタロック機構２１を構成する第１の被押圧部２７は、カートリッジホルダ９１のカートリッジ保持部１０１に設けられた第１の押圧部１５２により押圧される。したがって、ディスクカートリッジ１の側面４ａは、スライド板９３の被押圧片１０７に突き当てられると共にカートリッジホルダ９１のカートリッジ位置決め壁１０４に突き当てられる。このとき、操作板９２の支持ピン９４，９５，９６，９７は、図１５に示すように、カム溝７３，７４の後方の水平部と傾斜部との連結点に位置する。
【００７０】
さらに、ローディングモータ１２７が駆動を開始されカム板７８，７９が装置本体６１の後方側に移動されると、図１６及び図１７に示すように、操作板９２は、スライド板９３との位置関係を維持したままで、装置本体６１の後方に移動される。すなわち、カム板７８，７９は、操作板９２の支持ピン９４，９５，９６，９７カム溝８５，８６の後方側の水平部と傾斜部との連結点に位置した状態で第３の支持スリット９８及び第２の支持スリット８４の後方まで移動する。このとき、操作板９２とスライド板９３との位置関係は、スライド板９３とカートリッジホルダ９１に張架されたコイルバネ１０５により維持されている。そして、ディスクカートリッジ１は、ディスク回転操作部及び光ピックアップ装置が設けられた記録再生部６２上方までローディングされる。
【００７１】
そして、さらに、ローディングモータ１２７が駆動を開始されカム板７８，７９が装置本体６１の後方側に移動されると、図１８及び図１９に示すように、操作板９２は、スライド板９３との位置関係を維持したままで、下方側、すなわち、記録再生部６２に接近する方向に移動される。すなわち、操作板９２は、操作板９２の支持ピン９４，９５，９６，９７が第３の支持スリット９８及び第２の支持スリット８４の後方端部に突き当てられさらに下方に側に移動される。また、支持ピン９４，９５，９６，９７は、カム板７８，７９のカム溝８５，８６の前方側の低い水平部に移動される。すなわち、支持ピン９４，９５，９６，９７は、第３の支持スリット９８及び第２の支持スリット８４とカム溝８５，８６の交点に位置されることにより、第３の支持スリット９８及び第２の支持スリット８４の下方側へ移動する。これにより、ディスクカートリッジ１は、記録再生部６２に装着される。そして、ローディングモータ１２７が停止される。
【００７２】
また、記録再生部６２に装着されたディスクカートリッジをカートリッジ挿脱口６５より排出する場合、ローディングモータ１２７は、逆方向に駆動させ、カム板７８，７９を図１９中矢印Ｉ２方向に移動させる。そして、各カム板７８，７９は、装置本体６１の前方に移動されることにより、図１７に示すように、操作板９２の支持ピン９４，９５，９６，９７がカム溝８５，８６の傾斜部と第３の支持スリット９８及び第２の支持スリット８４の後端下方への屈曲部との交点に位置され、操作板９２、すなわちカートリッジホルダ９１に保持されたディスクカートリッジ１を記録再生部６２より離間させる。
【００７３】
さらに、ローディングモータ１２７によりカム板７８，７９が装置本体６１の前方移動されると、図１４及び図１５に示すように、操作板９２は、スライド板９３との位置関係を維持したままで、装置本体６１の前方に移動される。すなわち、カム板７８，７９は、操作板９２の支持ピン９４，９５，９６，９７がカム溝８５，８６の後方側水平部と傾斜部との連結点に位置するまで移動される。このとき、操作板９２とスライド板９３との位置関係は、コイルバネ１０５の付勢力によって維持される。そして、支持ピン９４，９５，９６，９７は、第３の支持スリット９８及び第２の支持スリット８４の前方まで移動する。このとき、ディスクカートリッジ１は、記録再生部６２よりカートリッジ挿脱口６５側へ搬送される。
【００７４】
操作板９２は、カム板７８，７９の前方側への移動により、図１３に示すように、前方側の支持ピン９４，９６が各第３の支持スリット９８の前端に達したとき停止する。カム板７８，７９は、図１２及び図１３に示すように、カム板７８の係合孔８８の後端部が支持突起１０７を装置本体６１の前方に押圧し、スライド板９３を前方に移動させる。すなわち、操作板９２がシャーシ７７に対して停止したままの状態で、カム板７８，７９とスライド板９３とが前方側に移動する。このようなスライド板９３の前方側への移動により、ディスクカートリッジ１は、スライド板９３の被押圧片１０６に押圧されて、カートリッジホルダ９１の位置決め壁１０４より前方へ移動される。
【００７５】
そして、ローディングアーム１１２は、図１２に示すように、スライド板９３が前方へ移動されることにより、係止部１２２がストッパ壁１２３の前端部に位置され、カートリッジホルダ９１の外方側に回動され、係止部１２２をストッパ壁１２３の前端部に係止させる。この状態において、ディスクカートリッジ１は、ディスクカートリッジ１のシャッタ部材９が取り付けられていない後端面が外方に臨まされ状態になり、その後、手指等により装置本体６１より取り出される。
【００７６】
次に、光ディスク５の記録又は再生が行われる記録再生部６２について説明する。この記録再生部６２は、図２０及び図２１に示すように、装置本体６１のシャーシ７７の底面部７７ａに記録再生部６２を構成するベース１４１がネジ等に固定して取り付けられ、このベース１４１に光ディスク５を回転駆動させるディスク回転操作部１４２と、光ディスク５の記録及び再生を行う光ピックアップ装置１４３が組み込まれる。
【００７７】
ディスク回転操作部１４２は、図２０に示すように、光ディスク５が装着されるディスクテーブル１４４と、ディスクテーブル１４４を回転駆動する図示しないスピンドルモータとから構成される。スピンドルモータは、駆動軸を光ディスク５が装着される上面側に突出させてベース１４１の下面側に取り付けられ、この駆動軸の先端に光ディスク５が装着されるディスクテーブル１４４が取り付けられる。このディスクテーブル１４４は、略円盤状に形成され、上面部の中央部分円錐台形状のセンタリング部１４５が設けられる。また、このディスクテーブル４７には、カートリッジホルダ９１の主面に回転自在に取り付けられるクランパ１００を磁気吸引するマグネットが配設される。そして、光ディスク５は、ディスクテーブル１４４がディスクカートリッジ１の記録及び／又は再生用の開口部７，８より進入し、ディスクテーブル１４４上に装着されて、ディスクテーブル１４４と一体にスピンドルモータによって回転操作される。
【００７８】
光ピックアップ装置１４３は、ベース１４１に設けられた開口部１４６よりベース１４１上面側に臨まされる。この光ピックアップ装置１４３は、ベース１４１に支持されたガイド軸１４７に支持され、このガイド軸１４７にガイドされて詳細は省略するピックアップ送り機構によってディスクテーブル１４４上に装着された光ディスク５の径方向に移動操作される。この光ピックアップ装置１４３は、光学ブロック内に収納した半導体レーザ等の光源から出射された光ビームを対物レンズ１４８を介してディスクテーブル上の光ディスク５の信号記録面に照射すると共に光ディスク５から反射された戻り光を光学ブロック内に収納された光検出器により検出することにより、光ディスク５に記録された情報信号の再生を行う。また、光ピックアップ装置１４３は、光ディスク５の信号記録層に光ビームを照射し信号記録層の結晶構造を局所的に変化させることで情報信号の記録を行う。なお、この光ピックアップ装置１４３は、光ディスクの信号記録面と対物レンズとの間隔であるワーキングディスタンスが５６０μｍ以下に設定され、対物レンズ１４８の開口数ＮＡが０．７以上とされ、半導体レーザより出射される光ビームの波長が６８０ｎｍ以下とされる。
【００７９】
また、この光ピックアップ装置１４３は、光ディスク５が高容量型であり、ワーキングディスタンスが５６０ｍμ以下に設定されていることから、昇降機構によりディスクカートリッジ１の記録及び／又は再生用の開口部７，８よりディスク収納部６内に進入される。この昇降機構は、モータを駆動源とし、ベース１４１に対して垂直に設けられたガイド軸に沿って昇降される。
【００８０】
このような記録再生部６２では、図２１及び図２２（Ａ）に示すように、ディスクカートリッジ１が最初に装着された状態において、シャッタ部材９が記録及び／又は再生用の開口部７，８を閉塞した状態にある。このとき、光ピックアップ装置１４３は、ベース１４１の下方に位置された状態にある。
【００８１】
ここで、例えば再生釦６４ａが押圧操作されると、ディスクカートリッジ１のシャッタ部材９は、図２２（Ｂ）に示すように、詳細は後述するシャッタ開放機構により、記録及び／又は再生用の開口部７，８を開放する位置まで移動操作される。なお、この状態においても、光ピックアップ装置１４３は、ベース１４１の下方に位置され、ディスクカートリッジ１の外方に位置されている。
【００８２】
すると、光ディスク５は、ディスクテーブル１４４が光ディスク５のセンタ穴５ａが係合すると共にカートリッジホルダ９１側のクランパ１００により狭持され回転可能な状態にされる。そして、光ピックアップ装置１４３は、図２２（Ｃ）に示すように、昇降機構により、開口部７，８よりディスクカートリッジ１内に進入し、ワーキングディスタンスが５６０μｍ程度となるまで上昇される。この状態において、光ディスク５は、ディスク回転操作部１４２により回転操作されると共に光ピックアップ装置１４３を光ディスク５の径方向に送り操作し光ビームを照射することにより情報信号の記録再生が行われる。
【００８３】
この光ピックアップ装置１４３は、光ディスク５の記録又は再生或いはトラックジャンプ等を行う場合、すなわち、光ピックアップ装置を使用する必要最低限の場合に限ってシャッタ部材９が移動操作され開口部７，８を開放する図２２（Ｃ）の状態にされる。そして、光ディスク５が回転操作されない停止等の待機時にあっては、図２２（Ａ）に示すように、シャッタ部材９が開口部７，８を閉塞した状態にされる。したがって、ディスクカートリッジ１内に塵埃等の異物が進入し、光ディスク５の信号記録面に異物が付着することを防止することができ、確実な情報信号の記録又は再生を行うことができる。
【００８４】
なお、以上、光ディスクの信号記録面と対物レンズとの間隔であるワーキングディスタンスを確保するため、光ピックアップ装置１４３を昇降機構によりディスクカートリッジ１内にまで上昇させる場合について説明したが、光ピックアップ装置１４３を固定にし、昇降機構によりベース１４１を上昇させる構成にしてもよい。
【００８５】
次に、ディスクカートリッジ１のシャッタ部材９を記録及び／又は再生用の開口部７，８を閉塞した基準位置と、これら開口部７，８を開放した位置とに亘って移動操作するシャッタ開放機構１５１について図２３及び図２４を参照して説明する。
【００８６】
このシャッタ開放機構１５１は、図２３に示すように、ディスクカートリッジ１のディスクカートリッジ１の挿脱方向と平行な側面４ｂに設けられたシャッタロック機構２１を構成する第１の被押圧部２７を押圧する第１の押圧部１５２と、ディスクカートリッジ１の前面側の側面に設けられるシャッタロック機構２１を構成する第２の被押圧部４４を押圧する第２の押圧部１５３と、シャッタ部材９を開口部７，８を閉塞した基準位置と開口部７，８を開放した位置とに亘って移動操作するシャッタ操作部１５４とを備える。
【００８７】
第１の押圧部１５２は、カートリッジホルダ９１の一方のカートリッジ保持部１０１の後方側に、カートリッジホルダ９１の内方に向かって突起状に設けられる。この第１の押圧部１５２は、ディスクカートリッジ１が装置本体６１のカートリッジ挿脱口６５より挿入され、カートリッジホルダに保持されると、ディスクカートリッジ１の側面４ｂのガイド部２０に進入し、第１の被押圧部２７を押圧する。
【００８８】
第２の押圧部１５３は、装置本体６１内の記録再生部６２を構成するベース１４１の後方側に植立された突起状に形成され、カートリッジホルダ９１に保持されたディスクカートリッジ１が上述したローディング機構７６によりベース１４１上に装着された際にディスクカートリッジ１の側面４ａの第２の被押圧部４４を押圧する。
【００８９】
シャッタ操作部１５４は、図示しないモータを駆動源とし回転駆動されると共に周囲が弾性体等よりなる回転ローラより構成され、ディスクカートリッジ１の側面４ａに対応し定置される連結部１８に突き当てられるようベース１４１の後方側側縁の略中央に設けられる。このシャッタ操作部１５４は、モータを駆動源とし、ローラが一方向に回転されることにより、図２３中矢印Ａ１方向に移動操作され、ローラが他方向に回転されることにより、図２３中矢印Ａ２方向に移動操作され、光ピックアップ装置１４３が開口部７，８よりディスクカートリッジ１内に進入可能な状態にさせる。
【００９０】
このようなシャッタ開放機構１５１は、先ず、カートリッジ挿脱口６５よりディスクカートリッジ１が挿入されカートリッジホルダ９１に保持されると、先ず、上述した図５に示すように、カートリッジホルダ９１のカートリッジ保持部１０１に設けられた第１の押圧部１５２がディスクカートリッジ１の側壁４ｂの第１の被押圧部２７を押圧する。これにより、第１の被押圧部２７が設けられた回動部材２２は、図５中矢印Ｃ１方向に回動され、連結アーム２５を介して規制部材２４を図５中矢印Ｄ２方向に回動させる。すると、規制部材２４の受け部４３とロック部材２３の突起４２との係合状態が解除される。これにより、ロック部材２３は、接続部材２３に押圧されない自由な状態にされる。
【００９１】
そして、カートリッジホルダ９１に保持されたディスクカートリッジ１が記録再生部６２のベース１４１に装着されると、図２４に示すように、ディスクカートリッジ１の前面側の側面４ａの第２の被押圧部４４が第２の押圧部１５３により押圧される。すると、ディスクカートリッジ１のシャッタロック機構２１は、図６に示すように、第２の被押圧部４４が設けられたロック部材２３が図６中矢印Ｅ２方向に回動され、ロック部材２３のロック部３９とシャッタ部材９の突部３９との係止状態が解除され、シャッタ部材９の移動操作可能な状態にされる。
【００９２】
そして、シャッタ開放機構１５１は、情報信号の記録又は再生等光ピックアップ装置１４３を使用する場合に限って、シャッタ操作部１５４により図６及び図２４中Ａ１方向にシャッタ部材９を移動操作し、ディスクカートリッジ１内に光ピックアップ装置１４３が進入可能な状態にする。
【００９３】
次に、ディスクカートリッジ１内に配設される押圧部材１０を押圧し、クリーニングシート１１を光ディスク５に接触させる押圧操作機構１６０について図２５乃至図２７を用いて説明する。
【００９４】
この押圧操作機構１６０は、駆動モータ１６１を駆動源とし、この駆動モータ１６１の駆動軸１６２の先端部に取り付けられた偏心部材１６３により昇降される押圧操作部材１６４を備える。駆動モータ１６１は、記録再生部６２を構成するベース１４１の裏面側に配設され、駆動軸１６２が光ピックアップ装置１４３を記録再生部６２に臨ませる開口部１４６より臨まされる。駆動モータ１６１の駆動軸１６２に取り付けられる偏心部材１６３は、円形に形成され、駆動軸１６２が回転中心を円形の中心から外れた点に取り付けられる。
【００９５】
また、押圧操作部材１６４は、基体部１６５の底面が偏心部材１６３に当接され、ベース１４１に対し垂直に設けられたガイド軸によりベース１４１に対し垂直方向、すなわち図２５中矢印Ｋ１又はＫ２方向に移動される。また、この基体部１６５のベース１４１側の上面には、ディスクカートリッジ１内のクリーニングシート１１を押圧する押圧部材１０を押圧するピン状の押圧操作部１６６が設けられる。また、基体部１６５には、コイルバネよりなる弾性体１６７を収納する弾性体収納部１６８を構成する凹部１６８ａが設けられる。また、この凹部１６８ａには、ベース１４１に固定された固定部材１６９が配設される。この固定部材１６９は、押圧操作部材１６４の凹部１６８ａと共に弾性体収納部１６８を構成する凹部１６８ｂが設けられる。このように押圧操作部材１６４は、弾性体収納部１６８に収納された弾性体１６７により常時ディスクカートリッジ１から離間する図２５中矢印Ｋ２方向に付勢され偏心部材１６３に押圧された状態にある。
【００９６】
このような押圧操作機構１６０は、図２６に示すように、光ディスク５の記録又は再生時等光ディスク５のクリーニングを行わない場合、偏心部材１６３の短い方の半径Ｒ１をベース１４１側である上方に向かせ、偏芯部材１６３の駆動軸１６２から近い部分を押圧操作部材１６４に当接させる。したがって、押圧操作部材１６４は、図２６中Ｋ２方向に下降された状態にあり、押圧操作部１６６がベース１４１の記録再生部６２側に突出していない状態にされる。
【００９７】
そして、ディスクカートリッジ１のローディング完了時、記録再生エラー等が発生した場合、シャッタ部材９がシャッタ開放機構１５１により記録及び／又は再生用の開口部７，８が開放されると、図２７に示すように、押圧操作機構１６０は、駆動モータ１６１を駆動し、偏心部材１６３の長い方の半径Ｒ２をベース１４１側である上方に向かせ、偏芯部材１６３の駆動軸１６２から離れた部分で押圧操作部材１６４を押圧するようにする。すると、押圧操作部材１６４は、弾性体１６７の付勢力に抗してベース１４１側の図２７中矢印Ｋ1方向に上昇され、押圧操作部１６６がディスクカートリッジ１の開口部７，８より進入し、ディスクカートリッジ１内の押圧部材１０を押圧する。すると、クリーニングシート１１は、押圧部材１０により押圧され、光ディスク５の信号記録面に接触される。そして、光ディスク５が、ディスク回転操作部１４２により回転操作されることで、信号記録面に付着した異物が払拭されクリーニングがされる。
【００９８】
以上のように構成される光ディスク装置６０は、先ず、図９に示す装置本体６１のカートリッジ挿脱口６５のクリーニング部材６７によりディスクカートリッジ１の外表面に付着した異物を払拭した状態で、カートリッジ挿脱口６５よりディスクカートリッジ１が挿入されると、ローディング機構７６により装置本体６１内の記録再生部６２まで搬送される。このとき、図１４に示すように、ディスクカートリッジ１の前面側の側面４ａがカートリッジホルダ９１のカートリッジ位置決め壁１０４に突き当てられ、カートリッジホルダ９１に保持されると、カートリッジホルダ９１のカートリッジ保持部１０１に設けられたシャッタ開放機構１５１を構成する第１の押圧部１５２によりディスクカートリッジ１の第１の被押圧部２７が押圧される。そして、この状態で、ディスクカートリッジ１は、記録再生部６２に装着されるまでローディングされる。
【００９９】
記録再生部６２にディスクカートリッジ１が装着されると、ベース１４１に設けられたシャッタ開放機構１５１を構成する第２の押圧部によりディスクカートリッジ１の第２の被押圧部４４が押圧される。したがって、ディスクカートリッジ１のシャッタ部材９は、シャッタ開放機構２１によりシャッタ部材９のロックされた状態が解除された状態にされるが、未だ記録及び／又は再生用の開口部７，８を閉塞した状態にある。
【０１００】
そして、光ディスク装置６０は、光ディスク５の記録、再生等光ディスク５を回転操作する場合、シャッタ部材９をシャッタ操作部１５４により開口部７，８を開放する方向に移動操作させる。すると、光ディスク５は、ディスク回転操作部１４２によりクランプされ、回転操作可能な状態にされる。また、光ピックアップ装置１４３についても、開口部７，８より進入される。そして、光ディスク５は、回転操作されると共に信号記録面に光ピックアップ装置１４３により光ビームが照射され情報信号の記録又は再生が行われる。
【０１０１】
また、光ディスク装置１は、光ディスク５の回転操作を行わない停止時等の記録再生部６２での待機時においては、光ピックアップ装置１４３がディスクカートリッジ１外に待避され、シャッタ開放機構１５１により、開口部７，８が閉塞された状態にされる。これにより、ディスクカートリッジ１内に、塵埃等の異物が進入することが防止される。
【０１０２】
また、光ディスク装置１は、図２７に示すように、ディスクカートリッジ１がローディングされたとき、又は、記録再生エラーが検出されたときに、押圧操作機構１６０を構成する押圧操作部１６６が開口部７，８よりディスクカートリッジ１内に進入され、クリーニングシート１１を光ディスク５の信号記録面に接触させ信号記録面のクリーニングを行う。
【０１０３】
このような光ディスク装置６０は、カートリッジ挿脱口６５よりディスクカートリッジ１が装置本体６１内に挿入される際、カートリッジ挿脱口６５の周囲に設けられたクリーニング部材６７によりディスクカートリッジ１の外表面に付着した塵埃等の異物が払拭し、記録再生部６２内に塵埃等の異物が進入することを防止し、光ピックアップ装置４３の対物レンズ１４８に異物が付着することを防止する。また、光ディスク装置６０は、光ディスク５の記録又は再生或いはトラックジャンプ等を行う場合、すなわち、光ピックアップ装置を使用する必要最低限の場合に限って記録及び／又は再生用の開口部７，８を開放し、停止時等には、シャッタ部材９が開口部７，８を閉塞した状態にすることで、ディスクカートリッジ１内に塵埃等の異物が進入することを防止する。さらに、光ディスク装置６０は、例えば光ディスク５の記録又は再生を開始する直前である記録再生部に装着されたローディング時、記録再生エラー検出時等にのみ、クリーニングシート１１ａ，１１ｂにより光ディスク５の信号記録面のクリーニングを行うことから、光ディスク５の信号記録面に傷をつけることを防止すると共に光ディスク５の信号記録面のクリーニングを行うことができる。以上のことからして、光ディスク装置６０は、確実に情報信号の記録又は再生を行うことができる。
【０１０４】
以上、図９に示すように、カートリッジ挿脱口６５の周囲にクリーニング部材６７を設けた場合について説明したが、これに限定されるものではない。例えば、図２８に示すように、カートリッジ挿脱口６５の周囲にクリーニング用ブラシ１７１を設けるようにしても良い。
【０１０５】
また、図２９に示すように、エア供給部１７２より供給されるエアをパイプ１７３を介しカートリッジ挿脱口１７３の周囲に設けられたエア噴出部１７４に供給するクリーニング機構を設けても良い。この場合、噴出部１７４は、装置本体６１内にディスクカートリッジ１の外表面に付着した塵埃が進入しないように、エアが装置本体６１の外方に向かって噴出されるように構成される。
【０１０６】
さらに、図３０に示すように、カートリッジ挿脱口６５の周囲には、正極１７５と負極１７６を絶縁体１７８を介して設け、正極１７５と負極１７６に取り付けられたブラシ１７７を帯電させ、ディスクカートリッジ１の外表面に付着した塵埃を吸着するようにしても良い。
【０１０７】
さらにまた、図３１に示すように、カートリッジ挿脱口１７３の周囲には、エア供給部１８０より供給されるエアをパイプ１７９を介しカートリッジ挿脱口６５の周囲に設けられたエア噴出部１７９に供給する第１のクリーニング機構と、正極１８１と負極１８２を絶縁体１８４を介して設け正極１８１と負極１８２に取り付けられたブラシ１８３を帯電させる第２のクリーニング機構を設けるようにしても良い。第１のクリーニング機構は、ディスク挿脱口６５の周壁の外方側に設けられる。そして第１のクリーニング機構は、エア供給部１８０よりエアが供給されると、パイプ１７９を介して、噴出部１７９より装置本体６１の外方に塵埃を払拭する。なお、この噴出部１７９は、装置本体６１内にディスクカートリッジ１の外表面に付着した塵埃が進入しないように、エアが装置本体６１の外方に向かって噴出されるように構成される。そして、第２のクリーニング機構は、正極１８１と負極１８２に取り付けられたブラシ１８３を帯電させ、第１のクリーニング機構で払拭され残ったディスクカートリッジ１の外表面に付着した塵埃を吸着する。
【０１０８】
【発明の効果】
本発明に係る光ディスク装置によれば、ディスクカートリッジがローディング手段によりローディングされ光ディスクの記録及び／又は再生を行う記録再生部にあるときクリーニング部を光ディスクの信号記録面に接触するように押圧する押圧操作手段を備えることから、ディスクカートリッジに配設されるクリーニング部を常時光ディスクに接触させるのではなく、ディスクカートリッジが記録再生部にローディングされたときや記録及び／又は再生エラーが検出された場合等所定の場合に限って、押圧操作手段によりクリーニング部を押圧し光ディスクの信号記録面に接触させ信号記録面のクリーニングを行う。したがって、光ディスクの信号記録面にクリーニング部を押圧する時間を少なくすることができ、光ディスク信号記録面を損傷させることを防止することができると共に光ディスクの信号記録面のクリーニングを行うことができ確実な情報信号の記録及び／又は再生を行うことができる。
【図面の簡単な説明】
【図１】実施の形態で説明するディスクカートリッジの全体斜視図である。
【図２】同ディスクカートリッジの分解斜視図である。
【図３】同ディスクカートリッジに用いられるクリーニングシートと押圧部材の取付け位置を説明するための平面図である。
【図４】同ディスクカートリッジの非使用時におけるシャッタロック機構の状態を示す平面図である。
【図５】同ディスクカートリッジの第１の被押圧部が押圧された状態のシャッタロック機構を示す平面図である。
【図６】同ディスクカートリッジの第１の被押圧部及び第２の被押圧部が押圧された状態のシャッタロック機構を示す平面図である。
【図７】クリーニングシートに代わり付勢部材の先端にクリーニング用のブラシが用いられた状態を示す要部側面図である。
【図８】クリーニングシートに代わり付勢部材の先端にクリーニング用のローラが用いられた状態を示す要部側面図である。
【図９】光ディスク装置の全体構成を示す斜視図である。
【図１０】ディスクカートリッジの挿脱が行われるカートリッジ挿脱口を説明するための要部斜視図である。
【図１１】ディスクカートリッジのローディング機構の分解斜視図である。
【図１２】ディスクカートリッジのローディング機構を説明するための平面図である。
【図１３】同ローディング機構を説明するための側面図である。
【図１４】同ローディング機構においてローディングが開始された状態を示す平面図である。
【図１５】同ローディング機構においてローディングが開始された状態を示す側面図である。
【図１６】同ローディング機構においてディスクカートリッジが装置本体の後方まで搬送された状態を示す平面図である。
【図１７】同ローディング機構においてディスクカートリッジが装置本体の後方まで搬送された状態を示す側面図である。
【図１８】同ローディング機構においてローディングが完了した状態を示す平面図である。
【図１９】同ローディング機構においてローディングが完了した状態を示す側面図である。
【図２０】記録再生部の構成を示す平面図である。
【図２１】記録再生部にディスクカートリッジが装着された状態を示す平面図である。
【図２２】光ピックアップ装置とディスクカートリッジとの関係を示す正面図である。
【図２３】光ディスク装置に設けられたシャッタ部材のシャッタ開放機構を説明するための平面図である。
【図２４】シャッタ部材がシャッタ開放機構により記録及び／又は再生用の開口部を開放した状態を示す平面図である。
【図２５】光ディスクの信号記録面をクリーニングするクリーニングシートを押圧する押圧操作機構を示す斜視図である。
【図２６】押圧操作機構の押圧操作部がディスクカートリッジの外に待避された状態を示す図である。
【図２７】押圧操作機構の押圧操作部がディスクカートリッジ内に進入しクリーニングシートを光ディスクの信号記録面に接触させた状態を示す図である。
【図２８】カートリッジ挿脱口の周囲に設けられるクリーニング機構の他の例を示す図である。
【図２９】カートリッジ挿脱口の周囲に設けられるクリーニング機構の他の例を示す図である。
【図３０】カートリッジ挿脱口の周囲に設けられるクリーニング機構の他の例を示す図である。
【図３１】カートリッジ挿脱口の周囲に設けられるクリーニング機構の他の例を示す図である。
【符号の説明】
１  ディスクカートリッジ、２  上ハーフ、３  下ハーフ、４  カートリッジ本体、５  光ディスク、７，８  開口部、９  シャッタ部材、１０  押圧部材、１１  クリーニングシート、１２  切欠部、２１  シャッタロック機構、２２  回動部材、２３  ロック部材、２４  規制部材、２５  連結アーム、２７  第１の被押圧部、２８  開口部、３１  第１の弾性片、３２  係止部、３３  アーム部、３６  第２の弾性片、３７  係止部、３８  ロックアーム、３９  突部、４１ロック部、４２  突起、４３  受け部、４４  第２の被押圧部、５４，５５  ローディング用切欠部、６０  光ディスク装置、６１  装置本体、６２  記録再生部、６４  操作部、６５  カートリッジ挿脱口、６６  蓋体、６７  クリーニング部材、７６  ローディング機構、７７  シャーシ、７８，７９  カム板、８５，８６  カム溝、８７  ラックギヤ部、８８  係合孔、９１  カートリッジホルダ、９２  操作板、９３  スライド板、９４〜９７  支持ピン、１００  クランパ、１０１，１０２  カートリッジ保持部、１０４  カートリッジ位置決め壁、１０５  コイルバネ、１０６  被押圧片、１０７  支持突起、１１１  カートリッジ検出アーム、１１２  ローディングアーム、１１４  当接部、１１５  カートリッジ当接ピン、１１７  位置決め片、１１９  当接突起、１２１  係合部、１２２  係止部、１２３  ストッパ壁、１２６  ローディング駆動機構、１２７  ローディング用モータ、１３４  駆動ギヤ、１４１  ベース、１４２  ディスク回転操作部、１４３  光ピックアップ装置、１４４  ディスクテーブル、１４６  開口部、１４８  対物レンズ、１５１  シャッタ開放機構、１５２  第１の押圧部、１５３  第２の押圧部、１５４  シャッタ操作部、１６０  押圧操作機構、１６１  駆動モータ、１６２  駆動軸、１６３  偏心部材、１６４  押圧操作部材、１６６  押圧操作部、１６７  弾性体
【図１】
0003620238.tif 000002
【図２】
0003620238.tif 000003
【図３】
0003620238.tif 000004
【図４】
0003620238.tif 000005
【図５】
0003620238.tif 000006
【図６】
0003620238.tif 000007
【図７】
0003620238.tif 000008
【図８】
0003620238.tif 000009
【図９】
0003620238.tif 000010
【図１０】
0003620238.tif 000011
【図１１】
0003620238.tif 000012
【図１２】
0003620238.tif 000013
【図１３】
0003620238.tif 000014
【図１４】
0003620238.tif 000015
【図１５】
0003620238.tif 000016
【図１６】
0003620238.tif 000017
【図１７】
0003620238.tif 000018
【図１８】
0003620238.tif 000019
【図１９】
0003620238.tif 000020
【図２０】
0003620238.tif 000021
【図２１】
0003620238.tif 000022
【図２２】
0003620238.tif 000023
【図２３】
0003620238.tif 000024
【図２４】
0003620238.tif 000025
【図２５】
0003620238.tif 000026
【図２６】
0003620238.tif 000027
【図２７】
0003620238.tif 000028
【図２８】
0003620238.tif 000029
【図２９】
0003620238.tif 000030
【図３０】
0003620238.tif 000031
【図３１】
0003620238.tif 000032